(57)【要約】【課題】前後２列のダボ穴の縦列の間隔より狭い奥行き幅の棚板であっても側板のダボ穴を利用して側板間に架設できる棚板支持構造を提供することを目的とする。【解決方法】小幅と中幅の棚板１４，１５を支持するブラケット２０，２１にそれぞれ上下２本のピン３０，３３を設けたものを用い、２本のピン３０，３３を同じダボ穴縦列の上下異なる位置のダボ穴２４に嵌合することにより、支持ブラケット２０，２１がピン３０，３３を支点として揺動することなく側板１１に取り付ける。２本のピン３０，３３を結ぶ直線と直交するように上辺３１，３４を形成し、ブラケット２０，２１をその上辺３１，３４が水平になるように側板１１に取り付ける。上辺３１，３４の前後２箇所に支点として設けた係合凸部３２，３５に棚板１４，１５を載置することにより前後２列のダボ穴縦列の間隔より小さい奥行き幅の棚板１４，１５を側板１１間に架設することができる。【選択図】図１
2007061242.tif 000002
【特許請求の範囲】
【請求項１】
側面にダボ穴の縦列を形成した側板と、支持ブラケットから成り、支持ブラケットの側面に少なくとも上下２本のピンを植設し、支持ブラケットの上辺の少なくとも前後２箇所に支点を設け、各ピンが同じ縦列の上下異なる位置にあるダボ穴に嵌合するように、かつ前記両ピンを結ぶ直線と前記両支点を結ぶ直線が直交するように各ピン及び各支点を配置し、各ピンを同じ縦列のダボ穴に嵌合して支持ブラケットを側板に取り付け、該支持ブラケットの支点に棚板の端部を載置して支持するようにしたことを特徴とする棚板支持構造。
【請求項２】
前記支点として支持ブラケットの上辺に係合凸部を設け、前記棚板の裏面に該係合凸部が係合する係合凹部を設けたことを特徴とする請求項１に記載の棚板支持構造。
【発明の詳細な説明】
【技術分野】
【０００１】
本発明は家具や壁面収納庫における棚板の支持構造に関する。
【背景技術】
【０００２】
壁面収納庫における棚板支持構造の一形式として、例えば特開２０００−２４８７３５号公報に記載されているように、側板の側面の前縁と後縁にそって多数のダボ穴を縦方向に等間隔で設けてダボ穴の縦列を２列形成し、各縦列の同じ高さのダボ穴にダボを装着し、このダボで棚板を支持して側板間に架設する構造が知られている。
【特許文献１】特開２０００−２４８７３５号公報
【発明の開示】
【発明が解決しようとする課題】
【０００３】
上記した従来の棚板支持構造にあっては、ダボで支持できる棚板はその奥行き幅が前側のダボ穴の縦列と後側のダボ穴の縦列との間隔より大きいものに限定され、２本の縦列の間隔より小さい奥行き幅の棚板を架設することができない。
【０００４】
本発明はかかる問題点に鑑み、前後２列のダボ穴の縦列の間隔より狭い奥行き幅の棚板であっても側板のダボ穴を利用して側板間に架設できる棚板支持構造を提供することを目的とする。
【課題を解決するための手段】
【０００５】
請求項１に記載の棚板支持構造は、側面にダボ穴の縦列を形成した側板と、支持ブラケットから成り、支持ブラケットの側面に少なくとも上下２本のピンを植設し、支持ブラケットの上辺の少なくとも前後２箇所に支点を設け、各ピンが同じ縦列の上下異なる位置にあるダボ穴に嵌合するように、かつ前記両ピンを結ぶ直線と前記両支点を結ぶ直線が直交するように各ピン及び各支点を配置し、各ピンを同じ縦列のダボ穴に嵌合して支持ブラケットを側板に取り付け、該支持ブラケットの支点に棚板の端部を載置して支持するようにしたことを特徴とする。
そして、好ましくは前記支点として支持ブラケットの上辺に係合凸部を設け、前記棚板の裏面に該係合凸部が係合する係合凹部を設ける。
【発明の効果】
【０００６】
本発明に係る棚板支持構造によれば、棚板を支持するブラケットに上下２本のピンを設けるとともに、上辺の前後２箇所に支点を設け、２本のピンを結ぶ直線に対して両支点を結ぶ直線が直交するように配置した。このため、２本のピンを同じ縦列の上下異なる位置のダボ穴に嵌合すれば、支持ブラケットはピンを支点として揺動することなく、かつ縦列に支点を結ぶ直線が縦列に直交するように、すなわち側板に水平に取り付けられる。従って、一本の縦列のダボ穴を利用して支持ブラケットを側板に取り付けることができるので、前後２列の縦列の間隔より小さい奥行き幅の棚板であっても支持ブラケットの両支点で水平に支持して側板間に架設することができる。
また、支持ブラケットの支点として係合凸部を設けるとともに、この係合凸部に係合する係合凹部を棚板の裏面に設けることにより、棚板が支持ブラケットの支点から前後方向へ外れるのを防止できる。
【発明を実施するための最良の形態】
【０００７】
側板にダボ穴を縦方向に等間隔で形成してダボ穴の縦列を形成し、逆三角形の板状の支持ブラケットの側面に上下２本のピンを植設し、支持ブラケットの上辺の前後２箇所に支点して断面円形の係合凸部を設け、各ピンが同じ縦列の上下異なる位置にあるダボ穴に嵌合するように、かつ前記両ピンを結ぶ直線と前記両係合凸部を結ぶ直線が直交するように各ピン及び各係合凸部を配置し、各ピンを側板の同じ縦列のダボ穴に嵌合して支持ブラケットを側板に取り付け、該支持ブラケットの係合凸を、棚板裏面の係合凹部に係合して棚板を側板間に架設する。
【実施例】
【０００８】
以下に本発明の実施例を図面に基づき説明する。図１には本発明の一実施例に係る棚板支持構造を備えた壁面収納庫１０が示されている。当該収納庫１０は４枚の側板１１と３枚の天板１２、奥行き幅の異なる大、中、小３種類の棚板１３，１４，１５を備え，側板１１の上端部に天板１２が連結金具１６で連結され、側板１１の後端部が後壁１７に、側板１１の下端部が床面１８に、それぞれＬ字形ブラケット１９で固定されている。また、中幅の棚板１４と小幅の棚板１５はそれぞれ逆三角形の支持ブラケット２０，２１で側板１１間に架設されている。そして、側壁２１と側板１１間にスペーサー２３が介装されている。
【０００９】
各側板１１には前縁と後縁に沿って縦方向に等間隔で設けた多数のダボ穴２４から成るダボ穴の縦列が前後２列に形成されている。
【００１０】
図２に示すように大幅の棚板１３、中幅の棚板１４及び小幅の棚板１５はいずれも裏面の４隅にそれぞれ断面半円形の係合凹部２５，２６，２７が形成されている。奥行き幅が側板１１の幅と略等しい大幅の棚板１３を架設するには、前側のダボ穴縦列と後側のダボ穴縦列の同じ高さ位置にあるダボ穴２４に計４個のダボ（図示略）を装着して側板１１に取り付け、各ダボが係合凹部２５に係合するように棚板１３をダボに載置することにより取り付けられている。
【００１１】
奥行き幅が前後２列のダボ穴縦列より狭い中幅の棚板と１４小幅の棚板１５はそれぞれ、中幅用支持ブラケット２０と小幅用支持ブラケット２１を使って側板１１間に架設されている。中幅用支持ブラケットは図３に示すように、逆三角形の板材から成り、上下２本のピン３０が植設されている。この２本のピン３０はダボ穴２４の縦列におけるダボ穴２４の間隔と同じ間隔で配置されている。支持ブラケット２０の上辺３１の前後両端部に支点として断面円形の係合凸部３２が設けられている。係合凸部３２は、その中心を結ぶ直線が２本のピン３０を結ぶ直線に直交するように配置され、上辺３１が係合凸部３２の中心を結ぶ線と平行に形成され、その長さは中幅の棚板の幅より若干短めに設定されている。
【００１２】
図４に示すように、小幅用支持ブラケット２１は逆性三角形の板材から成り、ダボ穴２４と同じ間隔で２本のピン３３が植設され、２本のピン３３を結ぶ直線に直交する上辺３４の前後両端部に支点として係合凸部３５が設けられている。この上辺３４の長さは小幅の棚板１５の奥行き幅より若干短めに設定されている。
【００１３】
図３、図４及び図５に示すように、中幅用支持ブラケット２０と小幅用支持ブラケット２１はそれぞれ、後側のダボ穴縦列の上下２個のダボ穴２４にピン３０，３３を挿入して側板１１に取り付けられて、各支持ブラケット２０，２１の係合凸部３２，３５を棚板１４，１５の係合凹部２６，２７に係合することにより側板１１間に架設されている。
【００１４】
壁面収納庫１０における棚板支持構造は以上の通りであって、小幅と中幅の棚板１４，１５を支持するブラケット２０，２１にそれぞれ上下２本のピン３０，３３を設けたものを用い、２本のピン３０，３３を同じダボ穴縦列の上下異なる位置のダボ穴２４に嵌合するので、支持ブラケット２０，２１がピン３０，３３を支点として揺動することなく側板１１に取り付けることができる。そして、２本のピン３０，３３を結ぶ直線と直交するように上辺３１，３４を形成したので、ブラケット２０，２１はその上辺３１，３４が水平になるように側板１１に取り付けられる。従って、上辺３１，３４の前後２箇所に支点として設けた係合凸部３２，３５に棚板１４，１５を載置することにより前後２列のダボ穴縦列の間隔より小さい奥行き幅の棚板１４，１５を側板１１間に架設することができる。
【００１５】
また、支持ブラケット１４，１５の上辺３１，３４に支点として係合凸部３２，３５を設け、この係合凸部３１，３４を棚板１４，１５裏面の係合凹部２６，２７に係合したので、棚板１４，１５が支持ブラケット２０，２１の上辺３１，３４から前後方向へ外れるのを防止できる。
【００１６】
本実施例に係る支持ブラケット２０，２１では前後２箇所の支点である係合凸部３２，３５で棚板１４，１５を支持したが、係合凸部３２，２５を省略して上辺３１，３４で直接棚板１４，１５を支持することも可能である。
【図面の簡単な説明】
【００１７】
【図１】本発明の実施例に係る棚板支持構造を備えた壁面収納庫を示す斜視図である。
【図２】同棚板支持構造に使われる棚板を示す斜視図である。
【図３】同棚板支持構造に使われる中幅用支持ブラケットと中幅の棚板を示す側面図である。
【図４】同棚板支持構造に使われる小幅用支持ブラケットと小幅の棚板を示す側面図である。
【図５】同棚板支持構造に使われる側板と中幅用支持ブラケットと中幅の棚板を示す斜視図である。
【符号の説明】
【００１８】
１０…壁面収納庫、１１…側板、１２…天板、１３，１４，１５…棚板、２０，２１…支持ブラケット、２４…ダボ穴、２５，２６，２７…係合凹部、３０，３３…ピン、３１，３４…上辺、３２，３５…係合凸部。
【図１】
2007061242.tif 000003
【図２】
2007061242.tif 000004
【図３】
2007061242.tif 000005
【図４】
2007061242.tif 000006
【図５】
2007061242.tif 000007